(57)【要約】【課題】  レンズ装置に対する誤装着の低減に有利なレンズフードを提供する。【解決手段】  レンズ装置の有する複数のレンズ側バヨネット爪部にそれぞれ係合する複数のフード側バヨネット爪部を有するレンズフードにおいて、複数のフード側バヨネット爪部のうちの少なくとも一つは、それとは対応しない複数のレンズ側バヨネット爪部のうちの一つとは係合できない外形を有することとした。【選択図】  図１
2019139191.tif 000002
【特許請求の範囲】
【請求項１】
レンズ装置の有する複数のレンズ側バヨネット爪部にそれぞれ係合する複数のフード側バヨネット爪部を有するレンズフードであって、
前記複数のフード側バヨネット爪部のうちの少なくとも一つは、それとは対応しない前記複数のレンズ側バヨネット爪部のうちの一つとは係合できない外形を有することを特徴とするレンズフード。
【請求項２】
前記複数のフード側バヨネット爪部は、前記レンズ装置の光軸の方向において、それぞれ互いに異なる複数の厚さを有することを特徴とする請求項１に記載のレンズフード。
【請求項３】
前記複数のフード側バヨネット爪部のうちの前記少なくとも一つは、前記複数のレンズ側バヨネット爪部のうちの前記少なくとも一つの有するレンズ側傾斜部に対して摺動させられることにより前記レンズ装置から前記レンズフードが離れるような形状をなすフード側傾斜部を有することを特徴とする請求項１又は２に記載のレンズフード。
【請求項４】
前記複数のフード側バヨネット爪部は、前記レンズ装置の光軸の方向において、それぞれ互いに異なる複数の位置を有することを特徴とする請求項１に記載のレンズフード。
【請求項５】
前記複数のフード側バヨネット爪部は、前記レンズ装置の光軸に直交する面内において該光軸から、それぞれ互いに異なる複数の距離を有することを特徴とする請求項１に記載のレンズフード。
【請求項６】
前記複数のフード側バヨネット爪部のうちの前記少なくとも一つは、それに対応する、前記複数のレンズ側バヨネット爪部のうちの一つに対するストッパーを有することを特徴とする請求項１乃至５のいずれか１項に記載のレンズフード。
【請求項７】
前記レンズ装置の光軸に直交する方向において前記レンズ装置を該光軸に向かう方向に付勢する付勢部を有することを特徴とする請求項１乃至６のいずれか１項に記載のレンズフード。
【請求項８】
請求項１乃至７のいずれか1項に記載のレンズフードを装着されたレンズ装置と、
前記レンズ装置の撮像面に配された撮像素子と、
を備えることを特徴とする撮像装置。
【請求項９】
レンズフードの有する複数のフード側バヨネット爪部にそれぞれ係合する複数のレンズ側バヨネット爪部を有するレンズ装置であって、
前記複数のレンズ側バヨネット爪部のうちの少なくとも一つは、それとは対応しない前記複数のフード側バヨネット爪部のうちの一つとは係合できない外形を有することを特徴とするレンズ装置。
【請求項１０】
請求項９に記載のレンズ装置と、
前記レンズ装置の撮像面に配された撮像素子と、
を備えることを特徴とする撮像装置。
【発明の詳細な説明】
【技術分野】
【０００１】
本発明は、レンズフード、レンズ装置、及び撮像装置に関するものである。
【背景技術】
【０００２】
従来、スチルカメラやビデオカメラ等の撮像装置に用いられるレンズ装置には、不要な入射光を遮るためのアクセサリとしてのレンズフードが取り付けられうる。レンズフードは、レンズ装置の先端の環状の枠に取り付けられうる。
【０００３】
レンズ装置にレンズフードを締結する構造として、バヨネット構造が知られている。バヨネット構造は、レンズ装置の爪部に対してレンズフードの対応する爪部が円周方向にずれるように、レンズ装置とレンズフードとを当接させる。そして、その後、レンズフードを所定の角度だけ回転させることで、両者の爪部同士を係合させる。レンズ装置には、その先端の環状外周部に２箇所以上の爪部が設けられ、レンズフードには、その後端の環状内周部に該爪部と係合する爪部（以下係合部ともいう）が設けられている。これら爪部同士（爪部と係合部と）が係合することにより、レンズフードはレンズ装置に装着され、該レンズ装置からの脱落のおそれが低減される。
【０００４】
レンズフードをレンズ装置に取り付けするバヨネット構造が、特許文献１に開示されている。このバヨネット構造では、レンズフードに設けられたＡＦセンサ窓を、レンズ装置におけるＡＦセンサに対応させて配置することを要する。
【０００５】
特許文献１に開示されるバヨネット構造では、レンズ装置の先端の環状枠の外周部に２つの爪部が配されている。その内、１つ目の爪部は、環状枠における円周方向に所定の角度を占める長さを有し、２つ目の爪部は、当該所定の角度より小さな角度を占める長さを有する。また、レンズフードには、レンズ装置の２つの爪部にそれぞれ対応する２つの爪部（係合部）が設けられている。そして、より大きな角度を占める長さを有するレンズ装置の爪部と係合するべきレンズフードの爪部（係合部）の終端には、レンズ装置の該爪部と当接するストッパーリブが設けられている。レンズ装置の２つの爪部の円周方向の長さが異なるために、レンズフードの長い爪部がレンズ装置の短い爪部に対面する配置状態では、レンズフードの爪部の端部がストッパーリブに当接する。そして、その状態以上のレンズフードの回転ができなくなってレンズフードをレンズ装置に取り付けできなくなる。このような構造とすることで、レンズフードをレンズ装置に間違った角度で装着するのを低減している。
【先行技術文献】
【特許文献】
【０００６】
【特許文献１】特開２００８-１５２１７号公報
【発明の概要】
【発明が解決しようとする課題】
【０００７】
特許文献１に開示された従来技術では、レンズフードをレンズ装置に対して正規の角度で取り付けようとしているか、逆（非正規）の角度で取り付けようとしているかは、ストッパーリブを爪部に当接させようとしてレンズフードをある程度回転させるまでは、ユーザは認識しがたい。
【０００８】
本発明は、例えば、レンズ装置に対する誤装着の低減に有利なレンズフードの提供を目的とする。
【課題を解決するための手段】
【０００９】
上記課題を解決するために、本発明の一態様に係るレンズフードは、
レンズ装置の有する複数のレンズ側バヨネット爪部にそれぞれ係合する複数のフード側バヨネット爪部を有するレンズフードであって、
前記複数のフード側バヨネット爪部のうちの少なくとも一つは、それとは対応しない前記複数のレンズ側バヨネット爪部のうちの一つとは係合できない外形を有することを特徴とする。
【発明の効果】
【００１０】
本発明によれば、例えば、レンズ装置に対する誤装着の低減に有利なレンズフードを提供することができる。
【図面の簡単な説明】
【００１１】
【図１】本発明の第１の実施例に係るレンズフードをレンズ装置に装着した状態の断面構造を示す概略図である。
【図２】図１に示したレンズフードの構成及びレンズ装置を光軸方向に分離して模式的に示す図である。
【図３】図１に示したレンズ装置を被写体側から見た図である。
【図４】図１に示したレンズフードにおけるフード枠を被写体側から見た図である。
【図５】図１に示したレンズ装置の先端環状部にレンズフードを装着する際における装着に関連する構成を円周方向に展開した展開図である。各図は、位相を正しく装着された状態、位相を誤って装着しようとした状態、及び誤って装着しようとして光軸方向にレンズフードが押し戻された状態を示す。
【図６】本発明の第２の実施例に係るレンズフードが装着されるレンズ装置を、被写体側から見た図である。
【図７】本発明の第２の実施例に係るレンズフードにおけるフード枠を被写体側から見た図である。
【発明を実施するための形態】
【００１２】
以下に、本発明を実施するための例示的な形態について、添付の図面に基づいて詳細に説明する。ただし、以下の実施例で説明される寸法、形状、及び構成要素の相対的な位置等は任意であり、本発明が適用される装置の構成又は様々な条件に応じて変更できる。また、同一であるか又は機能的に類似している要素を示す場合には、図面間で同じ参照符号を用いる。
【００１３】
[第１の実施例]
本発明の第１の実施例に係るレンズフードについて、以下に図１から図５を参照して説明する。本実施例では、レンズ装置１の先端の環状部外周に設けられた爪部と当接面との間の空間に、略筒形状を有するレンズフード２の撮像装置側端部の内周に設けられた係合部を嵌め込むことにより、該レンズフード２を該レンズ装置１に装着している。
【００１４】
なお、以下の説明において、図１に示される一点鎖線が光軸を表しており、同図中の左方が被写体側に対応し右方が撮像装置本体側に対応する。また、これら図面において、光軸に垂直な図１の紙面の上下の方向を上下方向、図３の紙面において光軸及び前述した上下方向に垂直な左右方向を水平方向とする。なお、ここで述べた方向は後述する装置構成を説明するために便宜上定めたものであって、実際の鉛直方向の上下或いは水平方向の前後左右を意味するものではない。
【００１５】
図１は、本発明の第１の実施例に係るレンズフード２をレンズ装置１に装着した時のこれら構成の断面模式図を示す。また、図２は、図１に示した実施例におけるレンズフード２の構成及びレンズ装置１を光軸方向に分離した状態を模式的に示している。これら図面に示されるように、レンズ装置１は光軸方向に並べられた凸レンズ等の複数の光学素子５を有し、一方の端部が不図示の撮像素子を備えた撮像装置本体６に固定される。レンズ装置１は撮像装置本体６と共に撮像装置を構成する。
【００１６】
レンズ装置１は他方の端部にレンズフード２が装着され、該レンズフード２はフード枠３とフードゴム４とを結合することで得られている。フードゴム４は、フード枠３の外周面の円周方向全域に渡って設けられた溝に嵌められており、圧入又は接着剤によりフード枠３に対して固定される。フード枠３は円環形状を有し、フードゴム４は上述したようにレンズ装置１に対する不要な入射光を好適に遮るために略筒形状を有する。なお、フードゴム４は例示であり、レンズ装置１に対する不要な入射光（不要光）を低減できればその材質、形態等に限定されず、フード部として把握されることが好ましい。このフード部が接続されたフード枠３は、レンズ装置１に対して着脱可能とされる。
【００１７】
本実施例に係る略筒形状を備えたレンズ装置１は、その内部において、複数の光学素子５を不図示の押え環で保持する。該レンズ装置１の材料は、樹脂又は金属である。レンズ装置１は、図１におけるレンズ装置１の左側に配置される撮像装置本体６に取り付けられる。本実施例において、レンズ装置１の被写体側先端の環状部１ｇの外周面には、第１のレンズ側爪部１ａと、第２のレンズ側爪部１ｂとが設けられる。レンズ装置１には、フード枠３のレンズ装置側端面が当接する面として、環状部１ｇより径方向に立ち上がる当接面１ｆが、光軸方向と直交する面内に設けられる。
【００１８】
図３に示すように、本実施例において、第１のレンズ側爪部１ａはレンズ装置１の環状部１ｇの上側に位置し、該環状部１ｇの外周において円周方向に所定の長さ延伸して設けられる。第１のレンズ側爪部１ａは、環状部１ｇ表面から一定の高さを有すると共に光軸方向に一定の厚さを有し、当接面１ｆから距離ｔ１を空けて平行に設けられている。なお、第１のレンズ側爪部１ａは円周方向に２つの端面を有するが、後述する第１のフード側係合部３ａを挿入する挿入口側の端面（図３の左側端面）をここでは便宜上第１の導入部端面１ｃとする。
【００１９】
本実施例において、第２のレンズ側爪部１ｂは、第１のレンズ側爪部１ａと対向する環状部１ｇの下側に位置し、該環状部１ｇの外周の円周方向に所定の長さ延伸して設けられる。第２のレンズ側爪部１ｂは、環状部１ｇ表面から第１のレンズ側爪部１ａと同じ一定の高さを有すると共に光軸方向に一定の厚さを有し、当接面１ｆから距離ｔ２を空けて平行に設けられている。なお、第２のレンズ側爪部１ｂは円周方向に２つの端面を有するが、後述する第２のフード側係合部３ｂを挿入する挿入口側の端面（図３の右側端面）をここでは便宜上第２の導入部端面１ｄとする。
【００２０】
なお、第２のレンズ側爪部１ｂに対しては、第２の導入部端面１ｄの近傍に、若しくはこれに連続するように傾斜部１ｅが設けられる。図５を参照して傾斜部１ｅについて説明する。なお、図５は、レンズ装置１にレンズフード２を装着する際におけるレンズ側爪部、後述するフード側係合部、等の構成を図３に示す直径Ｄで展開した状態を示す図である。傾斜部１ｅは、被写体側に向かうにつれて第２のレンズ側爪部１ｂの円周方向長さが小さくなる、即ち第２の導入部端面１ｄから他方の端面に向かうにつれて第２のレンズ側爪部１ｂの厚さが厚くなる傾斜部として設けられる。
【００２１】
上述したように、第１のレンズ側爪部１ａは当接面１ｆと距離ｔ１の位置に平行に設けられ、第２のレンズ側爪部１ｂは当接面１ｆと距離ｔ２の位置に平行に設けられる。なお、本実施例では、ｔ１＞ｔ２の関係とする。また、本実施例では、第１のレンズ側爪部１ａ及び第２のレンズ側爪部１ｂのレンズフード２側の各々の面が当接面１ｆから等しい距離に位置するように、これら爪部の各々の厚さが定められている。即ち、第１のレンズ側爪部１ａの光軸方向厚さと距離ｔ１とを加えた値は、第２のレンズ側爪部１ｂの光軸方向厚さと距離ｔ２とを加えた値と等しくなる。
【００２２】
次に、レンズフード２側、より詳細にはフード枠３のレンズ装置１側の端部内周に設けられるフード側係合部について説明する。図４は、円環形状のフード枠３を被写体側から見た図である。図４に示すように、フード枠３は略中空の円環形状であり、その内周面には、第１のレンズ側爪部１ａと係合する第１のフード側係合部３ａと、第２のレンズ側爪部１ｂと係合する第２のフード側係合部３ｂとが設けられる。
【００２３】
図４に示すように、本実施例において、第１のフード側係合部３ａは、フード枠３の円環形状の上側に位置し、該円環形状の内周において円周方向に延伸して設けられる。第１のフード側係合部３ａは、フード枠３の内周表面から一定の高さを有する。また、上述した距離ｔ１の間隔に嵌り込める光軸方向の厚さを有し、円環形状の端面と平行に設けられる。更に、第１のフード側係合部３ａは、円周方向の一方の端部において第１のレンズ側爪部１ａと当接面１ｆとの間に挿入する第１のフード側導入部３ｃを有する。また、第１のフード側係合部３ａは、他方の端部において第１のレンズ側爪部１ａの第１の導入部端面１ｃと当接してこれらの間での当接状態以上の嵌め込みを留める第１のストッパー面３ｆを有する。なお、本実施例において、該第１のストッパー面３ｆは、第１のフード側係合部３ａと一体として設けられているが、各々個別に設けられてもよい。
【００２４】
なお、第１のフード側係合部３ａに対しては、第１のフード側導入部３ｃの近傍に、若しくはこれに連続するように傾斜部３ｅが設けられる。図５に示すように、傾斜部３ｅは、被写体側に向かうにつれて第１のフード側係合部３ａの円周方向長さが大きくなる、即ち第１のフード側導入部３ｃの端部から他方の端部に向かうにつれて第１のフード側係合部３ａの厚さが厚くなる傾斜部として設けられる。
【００２５】
本実施例において、第２のフード側係合部３ｂは、第１のフード側係合部３ａと対向するフード枠３の下側に位置し、該フード枠３の内周の円周方向に延伸して設けられる。第２のフード側係合部３ｂは、フード枠３の内周表面から一定の高さを有する。また、上述した距離ｔ２の間隔に嵌り込める光軸方向の厚さを有し、円環形状の端面と平行に設けられる。更に、第２のフード側係合部３ｂは、円周方向の一方の端部において第２のレンズ側爪部１ｂと当接面との間に挿入する第２のフード側導入部３ｄを有する。また、第２のフード側係合部３ｂは、他方の端部において第２のレンズ側爪部１ｂの第２の導入部端面１ｄと当接してこれらの間での当接状態以上の嵌め込みを留める第２のストッパー面３ｇを有する。これらフード側係合部においては、導入部からストッパーまでの間隔は各々対応する爪部の所定の長さに対応している。なお、本実施例に置いて、該第２のストッパー面３ｇは、第２のフード側係合部３ｂと一体として設けられているが、各々個別に設けてもよい。
【００２６】
フード枠３は、更に、光軸中心に向けて内周表面から突き出す凸部を形成した圧入部３ｈを２箇所に有する。圧入部３ｈはフード側係合部以外の位置に設けられ、その凸部は頂部において装着状態のレンズ装置１の環状部１ｇの外周面に当接する。そして環状部１ｇの外周面とフード枠３の内周面に対して付勢力を作用させて、フード枠３をレンズ装置１に対して固定する。なお、本実施例では圧入部３ｈは２箇所に設けているが、その数、配置等は図示の例に限られず、数をより増加させる等、適当な付勢力が得られるようにその態様を適宜変更できる。
【００２７】
実際にレンズフード２をレンズ装置１に対して装着する場合、まずフード枠３の円環中央にレンズ装置１の環状部１ｇが嵌るようにフード枠３をレンズ装置１に近づける。その際、２つのレンズ側爪部と２つのフード側係合部とは、互いに周方向の位置がずれた状態とされる。フード枠３における第１のフード側係合部３ａ及び第２のフード側係合部３ｂにおけるフードゴム４側とは逆の面が当接面１ｆに当接するまで、この接近操作は進められる。当接後、第１及び第２のフード側導入部３ｃ，３ｄ各々が、第１及び第２のレンズ側爪部１ａ，１ｂと当接面１ｆとの間の対応する隙間に嵌り込むように、レンズフード２を光軸中心に回転させる。その結果、第１及び第２の導入部端面１ｃ，１ｄ各々或いは少なくとも一方が、対応する第１及び第２のストッパー面３ｆ，３ｇと当接して、レンズフード２の回転が停止される。この状態を図５（ａ）に示す。この状態で、圧入部３ｈの作用によって、レンズフード２の光軸周りの回転が抑制される。以上の操作により、フード側係合部がレンズ側爪部と当接部との間に挟持され、レンズ側爪部によりフード側係合部、更にはレンズフード２自体のレンズ装置１に対する光軸方向の移動が規制され、レンズフード２がレンズ装置１に対して装着される。
【００２８】
次に、正規の向きとは上下が逆向きの状態で、レンズフード２をレンズ装置１に装着しようとした場合について、図５（ｂ）を参照して説明する。図５（ｂ）は、レンズフード２を上下逆向きでレンズ装置１に装着しようとした状態を示す。この場合、第２のレンズ側爪部１ｂと当接面１ｆとの間の隙間（距離ｔ２）に対して、第１のフード側係合部３ａを嵌め込もうとすることとなる。しかし、第１のフード側係合部３ａは、距離ｔ２より広い距離ｔ１の第１のレンズ側爪部１ａと当接面１ｆとの間に嵌め込むように光軸方向の厚さが定められている。このため、距離ｔ２である当接面１ｆと第２のレンズ側爪部１ｂとの間には、第１のフード側係合部３ａを入れることができない。即ち、図５（ｂ）の状態から、これ以上のレンズフード２の光軸周りの回転はできなくなる。
【００２９】
その結果、ユーザは、レンズ装置１に対してレンズフード２を正しい位相で装着しようとしていないことを、レンズフード２を回転させ始めた段階で認識することができる。また、物理的にレンズフード２の回転ができなくなることから、誤装着も防止することができる。即ち、本実施例によれば、ユーザがレンズフード２をレンズ装置１に装着する際に、正規の向きとは上下逆向きに取り付けようとすると、バヨネットの爪が互いに係合できず、早期に誤装着を認識することと誤装着を防止することとが可能となる。
【００３０】
なお、上述した実施例では、第２のレンズ側爪部１ｂに傾斜部１ｅを設け、第１のフード側係合部３ａにも傾斜部３ｅを設けている。この場合、フード枠３の傾斜部３ｅとレンズ装置１の傾斜部１ｅとが当接した状態から、更にフード枠３を無理に回転させようとすると、図５（ｃ）に示すようにこれら斜面に沿ってフード枠３が被写体側に戻される。例えば、汚れ等の影響でレンズフード２の光軸周りの回転が滑らかではない場合、回転できないことが誤装着によるものであるか汚れ等その他の要因によるものかユーザが一時的に迷う事態も想定される。しかし、本実施例によれば、傾斜部１ｅと傾斜部３ｅを設けたことで、レンズフード２をレンズ装置１に対して逆向き装着しようとすると、レンズフード２が被写体側に押し戻されることより、容易に誤装着を認識することが可能となる。なお、本実施例では、傾斜部をフード枠３とレンズ装置１の両者に設けることとしているが、一方にのみ設けることとしてもよい。一方にのみ設けた場合には、レンズフード２の押し戻しは滑らかさにかける可能性もあるが、加工等が容易となる。
【００３１】
なお、以上に述べた実施例では、レンズ側爪部と対応するフード側係合部との２つの組からなるバヨネット構造を有するレンズフードとレンズ装置からなるレンズフードシステムについて述べている。しかし、これら対応する組は２つに限られず、複数存在すればよい。２つの組の場合、正しい位相とそうでない位相の２つの位相から正しい位相を選択することとなり、正しい位相でのレンズフードの装着が用意且つ迅速に行える。しかし、装着状態の安定性に鑑みて、対応する組を増加させてもよい。この場合、フード側係合部の少なくとも一つが、該フード側係合部と対応しないレンズ側爪部と当接面との間に嵌め込まれない構成とすることで、ユーザは装着すべきでない位相を容易に知ることができる。
【００３２】
以上に述べたように、本実施例に係るレンズフード２は、レンズ装置１の先端に設けられる環状部１ｇに対してバヨネット構造で着脱可能とされる。レンズ装置１は、環状部１ｇの外周面（環状部外周）から外方に突出してその外周面に沿って周方向に延在する複数のレンズ側バヨネット爪部（レンズ側爪部１ａ，１ｂ）を有する。これに対し、レンズフード２を構成するフード枠３は円環状の形状からなる。そして、これらレンズ側バヨネット爪部の各々と対応するように円環形状の内周に設けられ、対応するこれらレンズバヨネット側爪部と各々係合する複数のフード側バヨネット爪部（フード側係合部３ａ，３ｂ）を備える。即ち、本実施例に係るレンズフードは、レンズ装置の有する複数のレンズ側バヨネット爪部にそれぞれ係合する複数のフード側バヨネット爪部を有する。本発明においては、これら複数のフード側バヨネット爪部の少なくとも一つ（３ａ）は、対応しないレンズ側バヨネット爪部（１ｂ）と係合できないように、それぞれ互いに異なる複数種類の厚さを有する。なお、本実施例では厚さを異ならせることによりこれら部材を係合不能としているが、例えば光軸に沿った断面の形状を異ならせる等、対応しない少なくとも一つのフード側係合部（３ａ）の外形を他と異ならせればよい。即ち、複数のフード側バヨネット爪部のうちの少なくとも１つは、それとは対応しない複数のレンズ側バヨネット爪部のうちの１つとは係合できない外形を有する。このような外形を有する爪部を配することによりフード側係合部とレンズ側爪部との係合が不能となり、誤った位相でのレンズフードのレンズ装置への誤装着を防止できる。
【００３３】
また、レンズ装置１は、複数のレンズ側バヨネット爪部（１ａ，１ｂ）と光軸方向に離間して環状部１ｇから連続して外方に立ち上がる当接面１ｆを備える。当接面１ｆは、フード側バヨネット爪部（３ａ，３ｂ）における、レンズ側バヨネット爪部と係合時に対向する面と逆の面に当接する。前述したフード側バヨネット爪部（３ａ，３ｂ）は、円環形状の内周面から内方に突き出すように設けられている。そして、フード枠をレンズ装置１に当接させて光軸周りに回転させた時に、レンズ側バヨネット爪部（１ａ，１ｂ）と当接面１ｆとの隙間に対して嵌め込み可能となるように配されている。誤装着の防止に関しては、より具体的には、回転時において、この隙間の入り口に対して、フード側バヨネット爪部が嵌り込めない外形を有することとしている。
【００３４】
より具体的に、本実施例では、複数のレンズ側バヨネット爪部の少なくとも一つ（１ｂ）と当接面１ｆとの隙間の間隔は他のレンズ側バヨネット爪部（１ａ）と当接面１ｆとの隙間の間隔よりも小さくされている。また、複数のフード側バヨネット爪部（３ａ，３ｂ）のうちの他のレンズ側バヨネット爪部（１ａ）と対応するフード側バヨネット爪部（３ａ）は、小さくされた隙間の入り口に嵌り込めない厚さを有する。また、複数のフード側バヨネット爪部（３ａ，３ｂ）は、レンズ装置１の光軸の方向において、それぞれ互いに異なる複数の位置を有することとしてもよい。これによっても、フード側バヨネット爪部の厚さを異ならせた場合と同様に係合できないフード側バヨネット爪部を設けることとなり、同じ効果が得られる。このような外形の関係を設けることにより、誤った位相でのレンズフードのレンズ装置への誤装着を防止できる。
【００３５】
また、少なくとも一つのレンズ側バヨネット爪部（１ｂ）の円周方向における装着時のフード枠３の回転の方向とは逆の端面（１ｄ）には、傾斜部１ｅを配することが好ましい。この傾斜部１ｅは、レンズ側傾斜部として、この回転の方向に向かうにつれて、当接面１ｆがある方向とは逆の方向に向けてレンズ側バヨネット爪部（１ｂ）の厚さが厚くなるように形成される。レンズ側傾斜部が配されることにより、上述したように誤装着時にはレンズフード２がレンズ装置１（当接面１ｆ）から離間する方向の付勢力が働いてユーザが誤装着しようとしていることに気づける。この傾斜部はレンズ装置１側にのみ設けてもよいが、レンズフード２側にも設けることによりこの付勢力がより滑らかに作用し、誤装着の認識が容易となる。この場合、他のレンズ側バヨネット爪部（１ａ）と対応するフード側バヨネット爪部（３ａ）の円周方向における装着時のフード枠３の回転の方向の端面（３ｄ）にフード側傾斜部（３ｅ）を配する。フード側傾斜部（３ｅ）は、この回転の方向とは逆の方向に向かうにつれて、当接面１ｆがある方向に向けてフード側バヨネット爪部（３ａ）の厚さが厚くなるように形成される。このフード側傾斜部（３ｅ）は、レンズ側傾斜部（１ｅ）と対応して設けられる。即ち、複数のフード側バヨネット爪部のうちの、対応しないレンズ側バヨネット爪部（１ｂ）と係合できない少なくとも一つには、上述したフード側傾斜部（３ｅ）が配される。このような形状を備えたフード側傾斜部（３ｅ）が、複数のレンズ側バヨネット爪部のうちの少なくとも一つの有するレンズ側傾斜部（１ｅ）に対して摺動させられることにより、レンズ装置１からレンズフード２が離れる。
【００３６】
[第２の実施例]
上述した第１の実施例では、一のレンズ側爪部と当接面との幅と対応するフード側係合部の厚さに対し、二のレンズ側爪部と当接面との幅と対応するフード側係合部の厚さと異ならせている。そして、これによりいずれかのフード側係合部の対応しないレンズ側爪部と当接面との間の隙間への嵌め込みをできなくして、誤装着を防止している。これに対して、本実施例では、第１のレンズ側爪部１１ａと第２のレンズ側爪部１１ｂの光軸方向から投影した外形形状を異ならせる、即ち環状部表面からの爪部各々の高さを変えることで誤装着を防止している。
【００３７】
以下、具体的な形態の例について、図６及び図７を参照して説明する。図６は図３と同様の様式にて本実施例に係るレンズ装置１１を見た図であり、図７は図４と同様の様式にて本実施例に係るフード枠１３を見た図である。
【００３８】
図６に示すように、本実施例において、レンズ装置１１の被写体側先端の環状部１１ｇの外周面には、第１のレンズ側爪部１１ａと、第２のレンズ側爪部１１ｂとが設けられる。第１のレンズ側爪部１１ａは、環状部１１ｇの表面に平行な外周面が光軸から半径Ｒ１の円周上に位置するように、環状部１１ｇの上側に所定の長さを有して設けられる。また、第２のレンズ側爪部１１ｂは、環状部１１ｇの表面に平行な外周面が光軸中心から半径Ｒ２の円周上に位置するように、環状部１１ｇの下側に所定の長さを有して設けられる。なお、Ｒ１とＲ２とは、Ｒ１＞Ｒ２の関係を満たす。また、これらレンズ側爪部の当接面１１ｆからの距離は同じとしている。
【００３９】
また、図７に示すように、本実施例において、円環形状のフード枠１３には、第１のレンズ側爪部１１ａと係合する第１のフード側係合部１３ａと、第２のレンズ側爪部１１ｂと係合する第２のフード側係合部１３ｂとがその内周面に設けられる。これら第１及び第２のフード側係合部１３ａ，１３ｂは、レンズ側爪部の長さに対応する円周方向の長さで設けられている。フード枠１３において、環状部１１ｇが嵌め込まれる部分の円環形状の内周面は、光軸から半径Ｒ１の円周上に位置するように設けられる。しかし、第２のフード側係合部１３ｂが形成される領域については、半径Ｒ１の内周面から光軸に向けて張り出すように、光軸から半径Ｒ２の円周上に位置するように内周面が形成されている。なお、実際にはフード枠１３が、嵌め込まれた環状部１１ｇに対して円周方向に回転できるように、例えばフード枠１３側で述べる半径Ｒ１等は実際より僅かに大きくされているが、ここでは説明を容易とするために、半径Ｒ１等として述べる。また、フード枠１３にも、第１の実施例で述べたフード枠３と同様にストッパー等が設けられているが、これら構成の配置、光軸方向の位置関係、及び導入部からストッパーまでの間隔等については第１の実施例と同じであるため、ここでの説明は省略する。
【００４０】
第１のフード側係合部１３ａは、前述した半径Ｒ１の内周面から光軸に向けて張り出している。従って、この第１のフード側係合部１３ａは、前述した半径Ｒ１の外周面を有した第１のレンズ側爪部１１ａと、当接面１１ｆとの間に対しては嵌り込むことができる。同様に、第１のフード側係合部１３ａは、半径Ｒ２の円周面を有した第２のレンズ側爪部１１ｂと当接面１１ｆとの間に対しても嵌り込むことができる。これに対して、第２のフード側係合部１３ｂは、Ｒ１より小さい半径Ｒ２の内周面から光軸に向けて張り出している。従って、第２のフード側係合部１３ｂは、半径Ｒ２の外周面を有した第２のレンズ側爪部１１ｂと当接面１１ｆとの間に対して嵌り込むことはできる。しかし、半径Ｒ１の外周面を有した第１のレンズ側爪部１１ａと当接面１１ｆとの間では、第１のレンズ側爪部１１ａの端部上部と第２のフード側係合部１３ｂが設けられる領域の内周面とが接触する。このために第２のフード側係合部１３ｂは、第１のレンズ側爪部１１ａと当接面１１ｆとの間に対しては嵌り込むことができない。
【００４１】
よって、第２のフード側係合部１３ｂを第１のレンズ側爪部１１ａに対応させる位相にてレンズフード２をレンズ装置１１に装着しようとしても、これら各部を係合させることができない。以上より、本実施例においても、レンズ装置１１にフード枠１３を取り付けするときの位相が一致しないと、レンズ側爪部に対するフード側係合部の嵌め合いができなくなり、より早期に誤装着を認識することができると共に、誤装着を防止することができる。
【００４２】
本実施例では、フード側バヨネット爪部（フード側係合部１３ａ）が形成される領域の内径を小さくしている。レンズ装置１にフード枠３を装着させるフード枠３の回転時において、当接面１１ｆとレンズ側バヨネット爪部（レンズ側爪部１１ｂ）との間の隙間の入り口に対して、フード側バヨネット爪部（１３ａ）は嵌り込めない外形となる。即ち、複数のレンズ側バヨネット爪部の少なくとも一つ（１１ｂ）の外周面の光軸からの距離（Ｒ２）を他のレンズ側バヨネット爪部（レンズ側爪部１１ａ）の外周面の光軸からの距離（Ｒ１）よりも小さくしている。そして、少なくとも一つのレンズ側バヨネット爪部（１１ｂ）に対応するフード側バヨネット爪部（フード側係合部１３ｂ）が配置される領域は、フード枠３の内周面の光軸からの距離（Ｒ２）とされる。よって、このフード側バヨネット爪部が配置される領域には、他のレンズ側バヨネット爪部（レンズ側爪部１１ａ）が嵌り込めない。これにより、他のレンズ側バヨネット爪部（１１ａ）と当接面１１ｆとの間の隙間にフード側バヨネット爪部（１３ｂ）を嵌め込もうとしても、他のレンズ側バヨネット爪部（１１ａ）がこの領域の内周面と接触する。その結果、レンズ装置１に対するフード枠３の回転ができなくなる。換言すれば、本実施例においては、複数のフード側バヨネット爪部（１３ａ，１３ｂ）は、レンズ装置１の光軸に直交する面内において該光軸から、それぞれ互いに異なる複数の距離を有する。
【００４３】
また、本発明は、レンズ装置１側からは、レンズ側バヨネット爪部と当接面との間の隙間の少なくとも一つの嵌め込み口は、対応しないフード側係合部が嵌り込めない形状を有するとも把握できる。本実施例の場合、レンズ側バヨネット爪部（１１ｂ）と当接面１１ｆとの隙間に対して対応しないフード側バヨネット爪部（１３ａ）を嵌め込もうとしても、隙間の形状の相違から嵌め込めなくなる。より具体的には、レンズ側バヨネット爪部（１１ｂ）の光軸に沿った断面形状とフード側バヨネット爪部（１３ａ）との断面形状との相違からこれらの嵌め込みの操作ができなくなる。
【００４４】
また、上述した第１及び第２の実施例において、複数のレンズ側バヨネット爪部（１ａ，１ｂ，１１ａ，１１ｂ）は環状部（１ｇ，１１ｇ）の円周に沿って当接面（１ｆ，１１ｆ）と平行に一定の長さを有して突き出すように設けられる。また、フード側バヨネット爪部（３ａ，３ｂ，１３ａ，１３ｂ）は、複数のレンズ側バヨネット爪部（１ａ，１ｂ，１１ａ，１１ｂ）の各々に応じて一定の長さを有して内周面から突き出すように該内周面に沿って設けられる。しかし、嵌め込み可能な形状であれば、嵌め込みが進むにつれて厚さが増加する等、レンズ装置１に対するフード枠３の固定状態を安定する等の理由により、これら爪部及び係合部の形状は変形可能である。また、フード枠３の回転に伴ったレンズ側バヨネット爪部（１ａ，１ｂ，１１ａ，１１ｂ）と当接面（１ｆ，１１ｆ）との隙間へのフード側バヨネット爪部（３ａ，３ｂ，１３ａ，１３ｂ）の嵌め込みを停止させるストッパーを更に備えるとよい。このストッパーは、複数のフード側バヨネット爪部（３ａ，３ｂ，１３ａ，１３ｂ）のうちの少なくとも一つに対応する、複数のレンズ側バヨネット爪部のうちの一つに対して配される。これにより、レンズ装置１に対するレンズフード２の装着時に、レンズフード２の回転操作の終端を容易に認識できる。また、レンズ装置１に対してフード枠３の径方向のガタを安定させるために、実施例１で述べたように、フード枠３の内周面に配されて、環状部（１ｇ）の外周面と内周面との間に付勢力を生じさせる圧入部（３ｈ）を更に備えるとよい。この圧入部（３ｈ）は、レンズ装置１の光軸に直交する方向において該レンズ装置１を該光軸に向かう方向に付勢する付勢部として機能する。
【００４５】
以上、好ましい実施例を参照して本発明について説明したが、本発明はこれらの実施例に限定されるものではない。本発明の趣旨に反しない範囲で変更された発明、及び本発明と均等な発明も本発明に含まれる。また、上述した各実施例等は、本発明の趣旨に反しない範囲で適宜組み合わせることができる。また、本発明はレンズフードに関するものであるが、このレンズフードが装着されたレンズ装置と、該レンズ装置の撮像面に配された撮像素子とを備える撮像装置も本発明の一態様を構成する。更には、該レンズフードが装着されるレンズ装置、或いはこのレンズ装置と該レンズ装置の撮像面に配された撮像素子とを備える撮像装置も、本発明の一態様を構成する。
【符号の説明】
【００４６】
１，１１：  レンズ装置
１ａ，１１ａ：  第１のレンズ側爪部
１ｂ，１１ｂ：  第２のレンズ側爪部
１ｆ，１１ｆ：  当接面
１ｇ，１１ｇ：  環状部
２：  レンズフード
３，１３：  フード枠
３ａ，１３ａ：  第１のフード側係合部
３ｂ，１３ｂ：  第２のフード側係合部
【図１】
2019139191.tif 000003
【図２】
2019139191.tif 000004
【図３】
2019139191.tif 000005
【図４】
2019139191.tif 000006
【図５】
2019139191.tif 000007
【図６】
2019139191.tif 000008
【図７】
2019139191.tif 000009